(57)【要約】
【課題】ワインディング／セットアップの練習の成果を確認することができ、次の練習に支障をきたすような巻きぐせを毛髪に残すことがなく、ヘアドライヤーなどの加熱手段によって、ワインディング／セットアップの練習を繰り返して行うことのできる理容・美容練習器具を提供すること。
【解決手段】頭部モデル１０と、これに固着された人工毛髪２０と、前記頭部モデル１０を支持する支持台３０とを備えてなり、この人工毛髪２０は、ガラス転移点（Ｔｇ）が４０〜１００℃である形状記憶熱可塑性ポリウレタン樹脂からなる。
本考案の練習器具においては、（ａ）ワインディングの技能を修得するために使用されること、（ｂ）人工毛髪に、ストレートヘア形状が記憶されていること、（ｃ）頭部モデルに植設されることにより、人工毛髪が固着されていることが好ましい。
【選択図】  図１
0003101205.tif 000002
【実用新案登録請求の範囲】
【請求項１】
頭部モデル（１０）と、これに固着された人工毛髪（２０）と、前記頭部モデル（１０）を支持する支持台（３０）とを備えてなり、
前記人工毛髪（２０）は、ガラス転移点（Ｔｇ）が４０〜１００℃である形状記憶熱可塑性ポリウレタン樹脂からなることを特徴とする理容・美容練習器具。
【請求項２】
ワインディングの練習をするために使用されることを特徴とする請求項１に記載の理容・美容練習器具。
【請求項３】
前記人工毛髪（２０）には、ストレートヘア形状が記憶されていることを特徴とする請求項１または請求項２に記載の理容・美容練習器具。
【請求項４】
前記頭部モデル（１０）に植設されることにより、前記人工毛髪（２０）が固着されていることを特徴とする請求項１乃至請求項３の何れかに記載の理容・美容練習器具。
【考案の詳細な説明】
【技術分野】
【０００１】
本考案は、理容・美容練習器具に関し、さらに詳しくは、理容・美容に従事する者が、ワインディングやセットアップなどの練習を行うために使用する練習器具に関する。
【背景技術】
【０００２】
理容師または美容師あるいは理容・美容の技能を学習する者が、ワインディング（いわゆるロッド巻き）やセットアップの技能を修得し、またはその技量の向上を図るために、モデルウィッグと称される練習器具が使用されている。この練習器具は、支持台に支持された頭部モデルと、これに固着された毛髪とを備えてなり、当該毛髪は、人毛または人工毛から構成されている。
【０００３】
しかして、練習器具（モデルウィッグ）を使用して行うワインディングの練習においては、通常、頭部モデル全域における毛髪をロッド（例えば７０本）に巻き終えた後、全てのロッドを取り外して次の練習に備える。
【０００４】
ここで、上記のようなワインディングの練習後、実際にパーマ処理を行って、その仕上がり状態を確認することができれば、学習効果の向上を図ることができるので望ましい。      
【０００５】
しかし、人工毛に対しては、通常、化学変化を伴うパーマ処理（コールドパーマ処理）を行うことはできない。なお、カツラを構成する毛髪として、パーマ処理が可能な人工毛が紹介されているが（例えば特許文献１参照）、そのような人工毛は、ワインディングの練習の度に繰り返されるパーマ処理に耐え得るものではない。
また、人毛に対しても、パーマ処理を繰り返すことは、耐久性の点から問題がある。
従って、ワインディングの練習の成果（パーマ処理後の仕上がり状態）を確認することは実質的に不可能である。
【０００６】
一方、上記のような練習後にロッドを取り外した場合に、毛髪に軽い巻きぐせが残り、次の練習に支障をきたすことがある。
【特許文献１】特開平７−３１６２８７号公報
【考案の開示】
【考案が解決しようとする課題】
【０００７】
本考案は以上のような事情に基いてなされたものである。
本考案の第１の目的は、ワインディングの練習の成果（パーマ処理後の仕上がり状態）やセットアップの練習の成果を確認することができる理容・美容練習器具を提供することにある。
本考案の第２の目的は、次の練習に支障をきたすような巻きぐせを、簡単な操作により解消して毛髪に残すことのない理容・美容練習器具を提供することにある。
本考案の第３の目的は、ヘアドライヤーなどの加熱手段によって、ワインディング／セットアップの練習を繰り返して行うことのできる理容・美容練習器具を提供することにある。
【課題を解決するための手段】
【０００８】
本考案の練習器具は、頭部モデルと、これに固着された人工毛髪と、前記頭部モデルを支持する支持台とを備えてなり、前記人工毛髪は、ガラス転移点（Ｔｇ）が４０〜１００℃である形状記憶熱可塑性ポリウレタン樹脂（以下、「特定の形状記憶ＴＰＵ樹脂」と略記する。）からなることを特徴とする。
【０００９】
本考案の練習器具においては、下記の形態が好ましい。
（ａ）ワインディングの練習をするために使用されること。
（ｂ）人工毛髪に、ストレートヘア形状が記憶されていること。
（ｃ）頭部モデルに植設されることにより、人工毛髪が固着されていること。
【考案の効果】
【００１０】
（１）ワインディング／セットアップの練習終了後、本考案の練習器具の人工毛髪（ロッド／ヘアカーラーに巻かれている状態の人工毛髪）を、これを構成する特定の形状記憶ＴＰＵ樹脂のガラス転移点（Ｔｇ）以上に加熱して軟化させ、次いで、ガラス転移点（Ｔｇ）以下に冷却する（通常、室温下に放置する）ことにより、当該人工毛髪は、ロッド／ヘアカーラーを取り外した後であっても、カール形状が保持される。
従って、本考案の練習器具によれば、ワインディングの練習の成果（パーマ処理後の仕上がり状態）／セットアップの練習の成果を確認することができる。
また、練習の成果を確認するために、化学変化を伴うパーマ（コールドパーマ）処理を行う必要はなく、比較的緩やかな加熱によってパーマネント効果が得られるので、人工毛髪への影響はきわめて小さく、練習器具としての耐久性にも優れている。
【００１１】
（２）ワインディング／セットアップの練習終了後にロッド／ヘアカーラーを取り外す（仕上がり状態を確認することなく、次の練習を行う）場合において、本考案の練習器具の人工毛髪からロッド／ヘアカーラーを取り外した後、当該人工毛髪（軽い巻きぐせが残っている人工毛髪）を、これを構成する特定の形状記憶ＴＰＵ樹脂のガラス転移点（Ｔｇ）以上に加熱して軟化させることにより、巻きぐせを解消することができる（練習前の形状に復元することができる）。
従って、本考案の練習器具によれば、次の練習に支障をきたすような巻きぐせを毛髪に残すことがない。
【００１２】
（３）ワインディングやセットアップの練習後（加熱・冷却による形状保持後）、ヘアドライヤーなどの加熱手段によって、本考案の練習器具の人工毛髪を、これを構成する特定の形状記憶ＴＰＵ樹脂のガラス転移点（Ｔｇ）以上に再加熱して軟化させることにより、練習前の形状に復元させることができる。
従って、本考案の練習器具によれば、ワインディング／セットアップの練習を繰り返して行うことができる。
【考案を実施するための最良の形態】
【００１３】
以下、本考案について詳細に説明する。
図１は、本考案の練習器具の一例を示す説明図である。
この例の練習器具は、ワインディング（ロッド巻き）やセットアップなどの技能を修得し、またはその技量の向上を図るために使用する練習器具であって、頭部モデル１０と、この頭部モデル１０に植設（植毛）されることにより固着された人工毛髪２０と、頭部モデル１０を固定支持する支持台３０とを備えている。
【００１４】
練習器具を構成する頭部モデル１０は、合成樹脂、ＦＲＰ、石膏などからなり、成人の頭部とほぼ同一の形状およびサイズを有し、支持台３０により固定支持されている。
【００１５】
頭部モデル１０に植設された人工毛髪２０は、特定の形状記憶ＴＰＵ樹脂のフィラメントから構成され、ストレートヘア形状が記憶されている。
【００１６】
人工毛髪２０を構成する特定の形状記憶ＴＰＵ樹脂のガラス転移点（Ｔｇ）は４０〜１００℃とされ、好ましくは４０〜６０℃、更に好ましくは４０〜５０℃とされる。
ガラス転移点（Ｔｇ）が４０℃未満であると、室温下における人工毛髪の形状安定性が損なわれ、セットアップ（加熱・冷却による形状保持）などが困難となる。一方、ガラス転移点（Ｔｇ）が１００℃を超える場合には、変形・復元に要する加熱温度を高く設定する必要があり、当該人工毛髪の耐久性やセットの作業性が劣るものとなる。
【００１７】
人工毛髪２０を構成する特定の形状記憶ＴＰＵ樹脂としては、特公平６−９６６２９号公報に記載の製造方法、すなわち、ジフェニルメタンジイソシアネート、２，４−もしくは２，６−トリレンジイソシアネート、ｍ−もしくはｐ−フェニレンジイソシアネート、イソホロンジイソシアネートおよびヘキサメチレンジイソシアネートからなる群より選択される１種以上のイソシアネート成分（ａ）と、ポリオキシアルキレンポリオール、ポリエステルポリオール、ポリテトラメチレングリコールおよびポリブタジエンポリオールからなる群から選択される１種以上の、平均分子量が５００〜１０００の範囲にあるポリオール成分（ｂ）とを、（ａ）／（ｂ）＝０．６２〜５．２の範囲の配合モル比で反応させて得られたプレポリマーに対して、グリコール類およびアミン類からなる群から選択される１種以上の鎖延長剤（ｃ）を、配合モル比（ｃ）／（プレポリマー）＝０．６〜１２の範囲となるように添加して反応させる製造方法により得られるポリウレタンエラストマーを好適に使用することができる。
【００１８】
なお、前記ポリウレタンエラストマーの合成反応を促進するために触媒を使用することができる。この触媒は、トリエチルアミン、テトラメチルプロピレンジアミン、テトラメチルヘキサメチレンジアミン、トリレンジアミンなどの第３級アミン類、または、スタナスオクトエート、スタナスオレート、ジブチルチンジラウレートのような錫系触媒に代表される金属触媒であり、これらは単独でまたは２種以上を組み合わせて使用することができる。
【００１９】
上記の製造方法において、イソシアネート成分（ａ）、ポリオール成分（ｂ）および鎖延長剤（ｃ）の種類、並びにこれらの配合比を調整することにより、ガラス転移点（Ｔｇ）が４０〜１００℃の範囲にあり、このガラス転移点（Ｔｇ）前後で急激な弾性率変化を示すポリウレタンエラストマーを得ることができる。
【００２０】
このようにして得られるポリウレタンエラストマーを人工毛髪２０を構成する糸状体（フィラメント）とするためには、従来公知の方法、例えば、ポリウレタンエラストマーを溶融紡糸し、紡出糸を冷却後、延伸処理する方法を採用することができる。
ここに、溶融紡糸における溶融押出温度としては、例えば１８０〜２２０℃とされる。また、延伸処理後のフィラメントの直径は、例えば０．０５〜０．１２ｍｍとされる。
【００２１】
このようにして得られる人工毛髪２０（特定の形状記憶ＴＰＵ樹脂のフィラメント）は形状記憶性を有するものとなる。すなわち、ガラス転移点（Ｔｇ）以上では、分子鎖のミクロブラウン運動が行われ、温度上昇とともに弾性率は低下し、やがて流動開始に至るが、分子鎖が部分結晶化されていることにより分子運動が拘束されてゴム弾性を示し、この状態で外力を加えれば容易に変形すること（例えば、ストレートヘア形状からカール形状への変形）が可能となり、そのままガラス転移点（Ｔｇ）以下に冷却する（具体的には、室温下に放置する）と、ミクロブラウン運動は凍結され、配向した分子鎖は固定されて、同時に変形後の形状も固定される。そして、このままガラス転移点以下の温度を保てば、固定された変形後の形状が保持されるが、再度ガラス転移点（Ｔｇ）以上に加熱すると、ミクロブラウン運動が開始され、分子鎖の配向が解かれて元の形状に回復する。
【００２２】
図２は、図１に示した練習器具の使用態様のフローを示す説明図であり、図２〔Ａ〕〜〔Ｃ〕においては、人工毛髪２０（１本の人工毛髪）の状態を模式的に示している。
【００２３】
図２〔Ａ〕に示すように、頭部モデル１０に植設された人工毛髪２０には、ストレートヘア形状（カールしていない状態）が記憶されている。
【００２４】
図２〔Ｂ〕は、ワインディングの練習〔同図（１）〕が終了し、人工毛髪２０がロッド４０に巻かれて固定されている状態を示している。なお、実際には、頭部モデル１０の全域において、人工毛髪２０がロッド４０に巻かれた状態になっている。
【００２５】
練習終了後、その成果を確認する必要がない場合には、人工毛髪２０からロッド４０を取り外す〔同図（２）〕。このとき、熱履歴が付与されていない人工毛髪２０は、ストレートヘア形状に戻るが、軽い巻きぐせが残っている場合がある。そのような場合には、人工毛髪２０を、これを構成する特定の形状記憶ＴＰＵ樹脂のガラス転移点（Ｔｇ）以上に加熱する〔同図（３）〕。これにより、巻きぐせが完全に解消され、次の練習に支障をきたすようなことはない。
【００２６】
練習終了後、その成果を確認する必要がある場合には、先ず、人工毛髪２０を前記ガラス転移点（Ｔｇ）以上に加熱し〔同図（４）〕、次いで、当該ガラス転移点（Ｔｇ）以下に冷却（室温下に放置）し〔同図（５）〕、その後、人工毛髪２０からロッド４０を取り外す〔同図（６）〕。
【００２７】
これにより、図２〔Ｃ〕に示すように、人工毛髪２０には、ロッド４０に巻かれていたときのカール形状が保持され、この結果、練習の成果（仕上がり状態）を確認することができる〔同図（７）〕。
【００２８】
練習成果の確認後、カール形状が保持されている人工毛髪２０を、前記ガラス転移点（Ｔｇ）以上に加熱する〔同図（８）〕。これにより、人工毛髪２０は、記憶されていたストレートヘア形状に復元され、この結果、次の練習に供することが可能となる。
【実施例】
【００２９】
〔練習器具の製造〕
形状記憶熱可塑性ポリウレタン樹脂「ダイアリィ  ＭＭ−４５−２０」（三菱重工業（株）製，ガラス転移温度＝４５℃）を用い、下記の条件にて、溶融紡糸し、紡出糸を冷却後、延伸処理することにより、ストレートヘア形状が記憶された、直径０．０８ｍｍのフィラメントを得、これを人工毛髪として頭部モデルに植設することにより、本考案の練習器具を作製した。
【００３０】
（１）溶融押出温度：２００℃
（２）紡糸口金径  ：０．２ｍｍ
（３）紡出糸の冷却温度：１２０℃
（４）延伸倍率    ：１．５倍
（５）延伸温度    ：１００℃
【００３１】
〔練習器具の使用例〕
上記のようにして製造した本考案の練習器具を用いて、ワインディングの練習を行い、練習終了後、すなわち、頭部モデルの全域におけるロッド巻きが完了した後、ロッドに巻かれた人工毛髪をドライヤーにより１分間加熱し、次いで、室温下に５分間放置した。
その後、人工毛髪からロッドを取り外したところ、人工毛髪におけるカール形状が保持されており、全体の仕上がり状態は、通常のパーマ処理によるものと殆ど同様であった。  その後、人工毛髪をドライヤーにより再加熱することによって、ストレートヘア形状に復元することができた。
【産業上の利用可能性】
【００３２】
本考案の練習器具は、理容・美容に従事する者の練習器具（モデルウィッグ）として利用することができる。
【図面の簡単な説明】
【００３３】
【図１】本考案の練習器具の一例を示す説明図である。
【図２】図１に示した練習器具の使用態様のフローを示す説明図である。
【符号の説明】
【００３４】
１０  頭部モデル
２０  人工毛髪
３０  支持台
４０  ロッド
【図１】
0003101205.tif 000003
【図２】
0003101205.tif 000004